(57)【要約】【課題】単眼鏡のデザインの自由度を高め、単眼鏡を持ちやすくして単眼鏡の使用時の操作性を向上させる。【解決手段】この単眼鏡Ｍは、鏡筒本体１及び回転操作部４の外周面に外装ケース５を備える。この外装ケース５は、少なくとも回転操作部４の一部を表出可能に窓孔５０を有し、鏡筒本体１及び回転操作部４の外周面に回転操作部４の回転を許容して被着される。【選択図】図１
2020204682.tif 000002
【特許請求の範囲】
【請求項１】
鏡筒本体と、前記鏡筒本体の先端開口に嵌着される対物レンズと、前記鏡筒本体の後端開口に嵌着される接眼レンズと、前記鏡筒本体の外周面の一部に前記鏡筒本体と同心的に装着される回転操作部とを備えてなる単眼鏡であって、
少なくとも前記回転操作部の一部を表出可能に窓孔を有し、前記鏡筒本体及び前記回転操作部の外周面に前記回転操作部の回転を許容して被着される外装ケースを備え、
前記外装ケースに意匠的デザインを施し、前記外装ケースにより手持ち部分を拡張したことを特徴とする単眼鏡。
【請求項２】
外装ケースは合成樹脂材又は金属材又は木材又はこれらの組み合わせからなる請求項１に記載の単眼鏡。
【請求項３】
外装ケースは鏡筒本体及び回転操作部の外周面に沿って外嵌可能に先端、後端に開口を有する略筒状に形成され、窓孔は前記外装ケースの外周面において単眼鏡の上面又は下面に対応する上方に向けられる面又は下方に向けられる面又はその両方に前記回転操作部の一部が表出可能に形成される請求項１又は２に記載の単眼鏡。
【請求項４】
外装ケースは先端開口の縁部及び後端開口の縁部にそれぞれ化粧リングを有する請求項１乃至３のいずれかに記載の単眼鏡。
【発明の詳細な説明】
【技術分野】
【０００１】
本発明は、単眼鏡に関し、特に、デザインの自由度が高く、また、使用時に手に持ちやすい単眼鏡に関する。
【背景技術】
【０００２】
一般に、単眼鏡は、鏡筒本体と、鏡筒本体の先端開口に嵌着される対物レンズと、鏡筒本体の後端開口の嵌着される接眼レンズと、鏡筒本体の外周面に回転可能に装着されるピントリングなどの回転操作部とを備えてなり、全体が手のひらサイズのものから大きなレンズを有する大きなサイズのものまで、そのバリエーションは多い。単眼鏡で近くのものを見る場合は単眼鏡のレンズを開き、レンズを開くことでその単眼鏡のスペックである最短合焦距離までピントを合わせ、遠くのものを見るときは少しずつレンズを狭めていくことで焦点が合うようになっている。この種の単眼鏡が例えば特許文献１などに記載されている。
【先行技術文献】
【特許文献】
【０００３】
【特許文献１】特開２０１０−２４３９９２号公報
【発明の概要】
【発明が解決しようとする課題】
【０００４】
しかしながら、従来の単眼鏡の、特に、手のひらサイズのものは非常にコンパクトになっていて、携帯性に優れているが、他面で、その小さなサイズのために、鏡筒本体の外周面にピントリングやさらにズームリングなどの回転操作部が設けられると、この回転操作部の単眼鏡全体に占める割合が小さくなく、鏡筒本体に意匠的デザインを施そうとしても、デザインを施す領域が狭く、デザインの自由度が低い、という問題がある。また、このような手のひらサイズでは、ピントリングやズームリングなどの回転操作部を操作するときに、回転操作部を回すために、鏡筒本体の部分のみを持たなければならず、鏡筒本体の手持ちの部分が狭く、持ちにくく、その結果、操作性が悪い、という問題もある。
【０００５】
本発明は、このような従来の問題を解決するもので、この種の単眼鏡において、デザインの自由度を高め、また、単眼鏡の手持ちの部分を増大させて使用時に手に持ちやすくして操作性の向上を図ること、を目的とする。
【課題を解決するための手段】
【０００６】
上記目的を達成するために、本発明は、
鏡筒本体と、前記鏡筒本体の先端開口に嵌着される対物レンズと、前記鏡筒本体の後端開口に嵌着される接眼レンズと、前記鏡筒本体の外周面の一部に前記鏡筒本体と同心的に装着される回転操作部とを備えてなる単眼鏡であって、
少なくとも前記回転操作部の一部を表出可能に窓孔を有し、前記鏡筒本体及び前記回転操作部の外周面に前記回転操作部の回転を許容して被着される外装ケースを備え、
前記外装ケースに意匠的デザインを施し、前記外装ケースにより手持ち部分を拡張したことを要旨とする。
【０００７】
また、この単眼鏡は各部に次のような構成を備えることが好ましい。
（１）外装ケースは合成樹脂材又は金属材又は木材又はこれらの組み合わせからなる。
（２）外装ケースは鏡筒本体及び回転操作部の外周面に沿って外嵌可能に先端、後端に開口を有する略筒状に形成され、窓孔は前記外装ケースの外周面において単眼鏡の上面又は下面に対応する上方に向けられる面又は下方に向けられる面又はその両方に前記回転操作部の一部が表出可能に形成される。
（３）外装ケースは先端開口の縁部及び後端開口の縁部にそれぞれ化粧リングを有する。
【発明の効果】
【０００８】
本発明の単眼鏡によれば、少なくとも回転操作部の一部を表出可能に窓孔を有し、鏡筒本体及び回転操作部の外周面に回転操作部の回転を許容して被着される外装ケースを備え、外装ケースに意匠的デザインを施し、外装ケースにより単眼鏡の手持ち部分を拡張したので、この外装ケースにより、単眼鏡のデザインの自由度を高めることができ、また、単眼鏡の手持ちの部分を増大させて使用時に特に回転操作部を操作するときに単眼鏡が手に持ちやすくなって操作性の向上を図ることができる、という本発明独自の格別な効果を奏する。
【図面の簡単な説明】
【０００９】
【図１】本発明の一実施の形態における単眼鏡の構成を示す斜視図
【図２】同単眼鏡の正面図
【図３】同単眼鏡の背面図
【図４】同単眼鏡の平面図
【図５】同単眼鏡の底面図
【図６】同単眼鏡の左側面図（左右の各側面図は対称に表れる。）
【発明を実施するための形態】
【００１０】
次に、この発明を実施するための形態について図を用いて説明する。
図１に単眼鏡を示している。図２乃至図６にこの単眼鏡の各部（正面図、背面図、左側面図（左右の各側面図は対称に表れる。）、平面図、底面図）を示している。図２乃至図６は必要に応じて参照されたい。
【００１１】
図１に示すように、単眼鏡Ｍは、鏡筒本体１と、鏡筒本体１の先端開口に嵌着される対物レンズ２と、鏡筒本体１の後端開口に嵌着される接眼レンズ３と、鏡筒本体１の外周面の一部に鏡筒本体１と同心的に装着される回転操作部４とを備えてなる。また、この単眼鏡Ｍは全体が手のひらサイズの略円筒形に構成され、回転操作部４はピントリング４１が鏡筒本体１の外周面の先端側に回転可能に装着され、ズームリング４２が鏡筒本体１の外周面の後端側に回転可能に装着される。なお、この単眼鏡Ｍそれ自体は一般に知られたもののため、ここでは詳しい説明は省略する。
【００１２】
この単眼鏡Ｍは、鏡筒本体１及び回転操作部４の外周面に外装ケース５を備える。この外装ケース５は、合成樹脂材又は金属材又は木材又はこれらの組み合わせからなり、少なくとも回転操作部４の一部を表出可能に窓孔５０を有し、鏡筒本体１及び回転操作部４の外周面に回転操作部４の回転を許容して被着される。
【００１３】
この場合、外装ケース５はＡＢＳ樹脂などの合成樹脂材により鏡筒本体１及び回転操作部４の外周面の略円筒形の形状に沿って外嵌可能に先端、後端に開口５１、５２（図２、図３参照）を有する略円筒筒状に形成され、窓孔５０は外装ケース１の外周面において単眼鏡Ｍの上面及び下面に対応する上方に向けられる面及び下方に向けられる面の両方（図４、図５参照）に回転操作部４の一部が、この場合、ピントリング４１及びズームピントリング４２の一部が表出可能に、ピントリング４１とズームリング４２との間に跨って外装ケース５の軸方向に長い角丸の略長方形に形成される。また、この場合、外装ケース５は先端開口の縁部及び後端開口の縁部にそれぞれ化粧リング５１１、５２１を有する。一方の化粧リング５１１は比較的硬質のゴム材などにより、外装ケース５の先端開口５１の縁部に嵌着可能に高さの比較的低い、つまり比較的薄いリング状に形成され、他方の化粧リング５２１は比較的柔軟性のある軟質のゴム材などにより、外装ケース５の後端開口５２の縁部に嵌着可能に高さの比較的高い、つまり比較的厚みのあるリング状に形成されて、外装ケース５内に単眼鏡Ｍが嵌め込まれた後、各化粧リング５１１、５２１が外装ケース５の先端開口５１の縁部、後端開口５２の縁部にそれぞれ接着剤又はねじ式などにより接合される。
【００１４】
このような外装ケース５が単眼鏡Ｍに一体的に被せられることで、この外装ケース５を使って単眼鏡Ｍを装飾することができる。そこで、この外装ケース５に任意に意匠的デザインを施す。この場合、外装ケース５は、模様としての凹み５３（図４−図６参照）などが形成されて、メタリック塗装などにより彩色が施され、さらにブランドロゴなどが入れられる。なお、この場合、後端開口の化粧リング５２１が比較的厚みがあるので、この化粧リング５２１の外周面にもまた意匠的デザインとして模様などが入れられる。
【００１５】
また、このような外装ケース５が単眼鏡Ｍに一体的に被せられることで、この外装ケース５により単眼鏡Ｍの手持ち部分を拡張することができる。外装ケース５が単眼鏡Ｍに被着されても外装ケース５付きの単眼鏡Ｍ全体の大きさは本来の単眼鏡Ｍの大きさと略変わらないので、その手のひらサイズに変更はなく、携帯性に優れた面はそのまま維持される。また、単眼鏡Ｍの鏡筒本体１及びピントリング４１、ズームリング４２の外周面は外装ケース５の上下の各窓孔５０から表出されているだけで、他の面は外装ケース５に覆われているので、手持ちの部分が広くなり、単眼鏡Ｍの使用に際して、単眼鏡Ｍを広い範囲で安定よく持つことができ、しかもピントリング４１、ズームリング４２をそれぞれ外装ケース５の上下の各窓孔５０からつまんで容易に回転操作することができる。
【００１６】
以上説明したように、この単眼鏡Ｍによれば、少なくとも回転操作部４の一部を表出可能に窓孔５０を有し、鏡筒本体１及び回転操作部４の外周面に回転操作部４の回転を許容して被着される外装ケース５を設け、外装ケース５に意匠的デザインを施し、外装ケース５により単眼鏡Ｍの手持ち部分を拡張したので、この外装ケース５により、単眼鏡Ｍのデザインの自由度を高め、また、単眼鏡Ｍの使用時に単眼鏡Ｍを手に持ちやすくして操作性の向上を図ることができる。
【００１７】
また、この単眼鏡Ｍでは、外装ケース５は合成樹脂材又は金属材又は木材又はこれらを組み合わせて形成されることで、意匠的デザインのバリエーションを増やすことができる。さらに、外装ケース５の先端開口５１の縁部、後端開口５２の縁部にそれぞれ、化粧リング５１１、５２１が付設されることで、意匠的効果をさらに高めることができる。
【００１８】
さらに、この（実施の形態の）単眼鏡Ｍでは、特に、外装ケース５が鏡筒本体１及び回転操作部４の外周面に沿って外嵌可能に先端、後端に開口５１、５２を有する略円筒状に形成され、窓孔５０は外装ケース５の外周面において単眼鏡Ｍの上面及び下面に対応する上方に向けられる面及び下方に向けられる面の両方に回転操作部４の一部が表出可能に形成されるので、回転操作部４を外装ケース５の上下の各窓孔５０からつまんで回転操作部４を簡単に回すことができ、回転操作部４の操作性を一層高めることができる。
【００１９】
なお、この実施の形態では、窓孔５０は外装ケース５の外周面において単眼鏡Ｍの上面及び下面に対応する上方に向けられる面及び下方に向けられる面の両方に設けられるものとしたが、単眼鏡Ｍの上面又は下面に対応する上方に向けられる面又は下方に向けられる面のどちらか一方に設けられてもよい。この場合、窓孔が上下両方の面に設けられる場合に比べて、回転操作部４の操作性が若干低下するが、このようにしても上記実施の形態と概ね同様の作用効果を奏することができる。また、窓孔５０は外装ケース５の外周面において単眼鏡Ｍの左側面に対応する左向きの面又は右側面に対応する右向きの面又はその両方に設けられてもよい。このようにしても上記実施の形態と概ね同様の作用効果を奏することができる。さらに、この実施の形態では、窓孔５０は外装ケース５の上下の各面において、ピントリング４１及びズームピントリング４２の一部が表出可能に、ピントリング４１とズームリング４２との間に跨って外装ケース５の軸方向に長い角丸の略長方形に形成されるものとしたが、窓孔は回転操作部の一部が表出可能であればよく、その形状は任意に変更可能である。さらに、単眼鏡によっては回転操作部が鏡筒本体の先端側又は中央又は後端側にあるものもあり、外装ケースの窓孔は回転操作部の位置に合わせて、適宜変更される。
【００２０】
また、この実施の形態では、外装ケース５は単眼鏡Ｍの外形に合わせて略円筒形状に形成されているが、この外装ケース５の形状は単眼鏡Ｍの外形に応じて種々に変更される。
【符号の説明】
【００２１】
Ｍ  単眼鏡
１  鏡筒本体
２  対物レンズ
３  接眼レンズ
４  回転操作部
４１  ピントリング
４２  ズームリング
５  外装ケース
５０  窓孔
５１  開口
５１１  化粧リング
５２  開口
５２１  化粧リング
５３  凹み
【図１】
2020204682.tif 000003
【図２】
2020204682.tif 000004
【図３】
2020204682.tif 000005
【図４】
2020204682.tif 000006
【図５】
2020204682.tif 000007
【図６】
2020204682.tif 000008